(57)【要約】【課題】バックパックにおいて、その中身を保護し、容易にパッキングできるように構成する。【解決手段】フレーム５およびカバー６を備えたバックパック１であって、フレーム５が、カバー６の第１の部分６１に連結された第１のフレーム要素１０、およびカバー６の第２の部分６２に連結された第２のフレーム要素２０を備える。第２のフレーム要素２０が、第１のフレーム要素１０の上側領域１１と下側領域１２との間の領域１５において第１のフレーム要素１０に旋回可能に配置されている。第２のフレーム要素２０がカバー６の第１の部分６１に、ファスナー、面ファスナーまたはボタンによって、取り外し可能に連結されていることが好ましい。【選択図】図１
2008114063.tif 000002
【特許請求の範囲】
【請求項１】
フレームおよびカバーを備えたバックパックであって、前記フレームが、
ａ．  前記カバーの第１の部分に連結された第１のフレーム要素、および
ｂ．  前記カバーの第２の部分に連結された第２のフレーム要素、
を備え、
ｃ．  前記第２のフレーム要素が、前記第１のフレーム要素の上側領域と下側領域との間の領域において該第１のフレーム要素に旋回可能に配置されている、
ことを特徴とするバックパック。
【請求項２】
前記第２のフレーム要素が前記カバーの前記第１の部分に開放可能に連結されていることを特徴とする請求項１記載のバックパック。
【請求項３】
前記開放可能な連結が、ファスナーまたは面ファスナーまたはボタンにより行われることを特徴とする請求項２記載のバックパック。
【請求項４】
前記第２のフレーム要素にポケットが配置され、よって該第２のフレーム要素の一部が該ポケットの縁を形成することを特徴とする請求項１から３いずれか１項記載のバックパック。
【請求項５】
前記バックパックがストラップをさらに備え、該ストラップが、ケーブルを受け入れるための孔または開口部を備えていることを特徴とする請求項１から４いずれか１項記載のバックパック。
【請求項６】
着用者の背中に向けられる前記バックパックの後方部分が、側面図において脊椎の形状に調節されていることを特徴とする請求項１から５いずれか１項記載のバックパック。
【請求項７】
前記第２のフレーム要素および前記第１のフレーム要素が、該第２のフレーム要素の動きを少なくとも２つの位置でロックする手段を備えることを特徴とする請求項１から６いずれか１項記載のバックパック。
【請求項８】
前記フレームが第３のフレーム要素をさらに備え、該第３のフレーム要素の下側領域および前記第１のフレーム要素の下側領域が、前記バックパックの底を形成することを特徴とする請求項１から７いずれか１項記載のバックパック。
【請求項９】
前記第１のフレーム要素の上側領域および前記第２のフレーム要素の上側領域が座部を画成することを特徴とする請求項１から８いずれか１項記載のバックパック。
【請求項１０】
前記座部が、前記第１のフレーム要素の上側領域と前記第２のフレーム要素の上側領域との間に延在する前記カバーの第３の部分により設けられることを特徴とする請求項９記載のバックパック。
【請求項１１】
前記第２のフレーム要素および前記第３のフレーム要素が前記第１のフレーム要素の共通の領域に配置されていることを特徴とする請求項８から１０いずれか１項記載のバックパック。
【請求項１２】
前記バックパックが閉じられたときに、前記第１のフレーム要素、前記第２のフレーム要素および前記第３のフレーム要素が、断面図においてＸ形状を形成することを特徴とする請求項８から１１いずれか１項記載のバックパック。
【請求項１３】
（ａ）前記第１のフレーム要素の側面領域および前記上側領域、および
（ｂ）該第１のフレーム要素の側面領域および前記下側領域、
の内の少なくとも一方が、実質的にＵ字形状であることを特徴とする請求項８から１２いずれか１項記載のバックパック。
【請求項１４】
前記第２のフレーム要素および／または前記第３のフレーム要素が正面図において実質的にＵ字形状であることを特徴とする請求項８から１３いずれか１項記載のバックパック。
【請求項１５】
前記フレームが一体ハンドルを備えていることを特徴とする請求項１から１４いずれか１項記載のバックパック。
【請求項１６】
前記一体ハンドルが前記第１のフレーム要素の上側領域に配置されていることを特徴とする請求項１５記載のバックパック。
【請求項１７】
前記カバーが、該カバーの一部分と前記第１のフレーム要素の上側領域との間に距離が設けられるように該第１のフレーム要素に配置されていることを特徴とする請求項１から１６いずれか１項記載のバックパック。
【請求項１８】
前記カバーの１つ以上の部分が蛇腹式に折り畳まれることを特徴とする請求項１から１７いずれか１項記載のバックパック。
【請求項１９】
前記カバーが前記フレームの内側に実質的に配置されていることを特徴とする請求項１から１８いずれか１項記載のバックパック。
【発明の詳細な説明】
【技術分野】
【０００１】
本発明はバックパックに関する。
【背景技術】
【０００２】
バックパックは、様々な品物を持ち運ぶための便利な手段であり、毎日の生活に益々使用されてきている。バックパックは、材料が可撓性であるために、重さが軽く、着用者の動きを最小限しか妨げない。さらに、バックパックは、可撓性材料のために、運ぶ品物に応じて容積を調節することができ、よって、一般に、空のバックパックは、満杯のバックパックよりも容積が小さい。
【０００３】
しかしながら、バックパックの材料は可撓性であるために、用途の範囲も限られている。したがって、重い荷物を運ぶための大型のバックパックには、しばしば、肩と背中への重さを良好に分布させるフレームが設けられる。ある構造において、剛性部品により、必ずバックパックが着用者の背中に直接接触しないようにされている。それどころか、背中の通気が促進され、汗をかくのが抑えられる。しかしながら、その代わり、バックパックの重さが増す。
【０００４】
バックパックの可撓性材料のさらに別の欠点は、剛性材料から製造された容器におけるほど、その中身が保護されないことである。最後に、可撓性材料により、バックパックのパッキング中に、特に大きく重い品物について、問題が生じる。それは、バックパックの開口部が固定されていないからである。例えば、バックパックにホルダーを入れるには、通常、バックパックの開口部を適切な形状にするために、特別な取扱いが必要である。これらの問題は、両手でパッキングしている最中に、ある品物を掴まなければならないときはいつでも生じる。この場合、しばしば、バックパックを開いた状態に保持する別の人の助けが必要になる。
【０００５】
これらの欠点を克服するために、特許文献１および２には、実質的に剛性のバックパックが記載されている。しかしながら、剛性のバックパックは、背負うのに不都合であり、通常のバックパックよりも重い。さらに、記載されたバックパックは、いくつかの要素から組み立てられており、これにより、その製造、取扱い、および収納がより複雑になる。
【０００６】
さらに、特許文献３および４には、バックパックの底で連結されたハードシェルと蓋からなるバックパックが記載されている。これにより、実際に、開口部が大きくなり、その開口部は、手で開いたままにする必要もない。しかしながら、そのバックパックは、パッキングのために下に置かなければならず、そうしないと、中身が落ちてしまうであろう。
【特許文献１】米国特許第６９３８７６１号明細書
【特許文献２】米国特許第６６２９６２９号明細書
【特許文献３】米国特許出願公開第２００５／００６１８４４号明細書
【特許文献４】米国特許第５９１１３４８号明細書
【発明の開示】
【発明が解決しようとする課題】
【０００７】
したがって、本発明のある態様は、従来技術の上述した欠点を克服したバックパックであって、特にその中身を保護し、容易にパッキングできるバックパックを提供する課題に基づくものである。
【課題を解決するための手段】
【０００８】
第１の態様によれば、本発明は、フレームとカバーを備えたバックパックによりこの課題を解決する。そのフレームは、カバーの第１の部分に連結された第１のフレーム要素およびカバーの第２の部分に連結された第２のフレーム要素を含む。第２のフレーム要素は、第１のフレーム要素の上側領域と下側領域との間の領域で第１のフレーム要素に旋回可能に配置されている。
【０００９】
本発明のある実施の形態によるバックパックは、剛性フレームを可撓性カバーと組み合わせることによって、その中身の保護するだけでなく、剛性のハードシェルでそのように保護を行うバックパックよりも軽い。第２のフレーム要素を旋回可能に配置することによって、バックパックの可撓性カバーに開口部を形成することができ、その開口部を通して、バックパックをパッキングしたり、中身を取り出したりすることができる。特に、第２のフレーム要素を第１のフレーム要素の上側領域と下側領域との間の領域に配置したことによって、一方では、バックパックを都合よくパッキングしたり、中身を取り出したりできるように十分に大きい開口部が結果として得られる。他方では、その開口部は、開いた状態で品物が簡単に落ちないように、第１のフレーム要素の全長には亘っていない。
【００１０】
好ましい実施の形態において、第２のフレーム要素は、特に好ましくはファスナーまたは面ファスナーもしくはボタンにより、カバーの第１の部分に外せるように連結されている。このようにして、このバックパックは、そこを通してバックパックをパッキングしたり、中身を取り出したりするロックできる開口部を得ている。
【００１１】
好ましい実施の形態において、第２のフレーム要素に、好ましくは第２のフレーム要素の上側領域にポケットが配置されており、よって、第２のフレーム要素の一部分がポケットの境界を形成する。このポケットは、フレームにより保護されており、バックパックの開口部に配置されたために、利用し易い。
【００１２】
好ましい実施の形態において、バックパックのストラップ、好ましくはウエスト・ストラップが、好ましくは音楽プレーヤーのイヤホンのための、ケーブルを受け入れるための開口部または孔を備えている。これにより、イヤホンが常に利用できる、十分な収納場所が設けられる。
【００１３】
好ましい実施の形態において、着用者の背中を向いたバックパックの側は、側面図において脊椎の形状に調節されている。これにより、着用者の背中に荷重が均一に分布されるので、バックパックを着用したときの快適さが高まる。
【００１４】
さらに、第２のフレーム要素および第１のフレーム要素は、第２のフレーム要素の動きを少なくとも２つの位置にロックする手段を備えるのが好ましい。したがって、第２のフレーム要素を旋回させることによってバックパックに形成される開口部は安定している。その開口部を開いた状態に維持するのには手は必要なく、そのバックパックは、パッキングしたり、中身を取り出したりするのがより容易になる。２カ所より多い位置でロックできることにより、バックパックの開口部を異なるサイズに調節することができる。
【００１５】
前記フレームが第３のフレーム要素を備え、この第３のフレーム要素の下側領域および第１のフレーム要素の下側領域が、バックパックのための底を画成することが好ましい。このようにして画成された底のために、バックパックを直立状態に置くことができ、またこの状態でバックパックをパッキングし、中身を取り出すことができる。その底は、空の場合でさえも、バックパックを安定に立たせておく。
【００１６】
第１のフレーム要素の上側領域および第２のフレーム要素の上側領域は座部を画成することが好ましく、この座部は、カバーの第３の部分により設けられることが好ましいものであり、第１のフレーム要素の上側領域と第２のフレーム要素の上側領域との間に延在する。
【００１７】
したがって、本発明のこの実施の形態によるバックパックは、安定な底で直立状態に置くことができるだけでなく、腰掛けとしても使用できる。このフレームにより、バックパックが空であるかまたはある程度しかパッキングされていない場合でさえも、このことが可能である。カバーの第３の部分が座部として働いてもよい。
【００１８】
バックパックの第２のフレーム要素および第３のフレーム要素が第１のフレーム要素の共通領域に固定されることが好ましく、この共通領域が、第１のフレーム要素の上側領域と下側領域との間の中間に位置していることが好ましい。バックパックの閉じた状態で、第１のフレーム要素、第２のフレーム要素および第３のフレーム要素が断面図においてＸ形状を形成することも好ましい。このＸ形状によって、そのフレームは、特に単純かつ安定な形状を得ると同時に、バックパックの内部にできるだけ大きな容積を画成する。その上、この容積の中で、品物は剛性フレームによって保護される。
【００１９】
ある実施の形態において、前記フレームは一体のハンドルであり、これは第１のフレーム要素の上側領域に配置されることが好ましい。これにより、別個のハンドルとそれをバックパックに取り付ける必要がなくなる。
【００２０】
さらに別の実施の形態において、バックパックのカバーは１つ以上の部分で蛇腹状に折り畳まれる。この折畳みは、カバーの対応部分の折り畳みとそれを広げるのを容易にすることによって、バックパックの開閉を支援する。
【００２１】
本発明によるバックパックのさらに別の実施の形態は、従属請求項にさらに定義されている。
【発明を実施するための最良の形態】
【００２２】
本発明の態様が、添付の図面を参照して、以下により詳しく記載されている。
【００２３】
以下において、バックパックの本発明の実施の形態がより詳しく記載されている。しかしながら、本発明はバックパックには制限されず、バッグ、スーツケース、通学用バッグなどの、品物の運搬のためのどのタイプの入れ物にも適用できることを理解すべきである。
【００２４】
図１は、本発明によるバックパック１のある実施の形態の斜視図であり、フレーム５、カバー６および一対のストラップ７が認められる。さらに別の実施の形態において、一対のストラップ７は取外しできる。フレーム５は、第１のフレーム要素１０および第２のフレーム要素２０を備えている。第１のフレーム要素１０はカバー６の第１の部分６１に連結されており、第２のフレーム要素２０はカバー６の第２の部分６２に連結されている。好ましい実施の形態において、第１のフレーム要素１０はさらに、カバー６の第２の部分６２に連結されている。
【００２５】
図１から分かるように、第２のフレーム要素２０は第１のフレーム要素１０の上側領域１１と下側領域１２との間に配置されている。好ましい実施の形態において、第２のフレーム要素２０は、第１のフレーム要素１０の上側領域１１と下側領域１２との間の中央領域１５に配置されている。しかしながら、その領域１５は、第１のフレーム要素の中央に正確に配置されている必要はないが、領域１５の配置によって、以下に記載されるバックパック１の開口部のサイズが決まる。
【００２６】
図１の好ましい実施の形態において、バックパック１のカバー６はフレーム５の内側に配置されている。あるいは、カバー６はフレーム５の外側に配置することもできる。さらに、カバー６は、一部がフレーム５の内側に配置され、一部が外側に配置されていても差し支えない。カバー６は、好ましくは可撓性材料から、より好ましくは防水性材料から、特に好ましくはプラスチック繊維、例えば、Ｃｏｒｄｕｒａ（登録商標）から製造される。カバー６の部品は、例えば、バックパック１の下側６６に、またはバックパック１の着用者の背中の領域において、剛性または曲げられる硬質材料で補強されてもまたはそれから製造されていても差し支えない。
【００２７】
図２は、図１のバックパックの開いた状態の斜視図である。図１および２から判断できるように、第２のフレーム要素２０は第１のフレーム要素１０に旋回可能に配置されている。図２は、第２のフレーム要素２０の動きにより大きな開口部４が形成され、これにより、バックパック１のパッキングおよび中身の取出しが都合良くできる。図２に示された実施の形態において、バックパック１の開口部４は第１のフレーム要素１０の上側領域１１と第２のフレーム要素２０の上側領域２１との間に配置されており、これにより、特に、頂部からのバックパック１のパッキングが容易になる。
【００２８】
開口部４のサイズは、領域１５の位置（第２のフレーム要素が第１のフレーム要素に旋回可能に配置されている箇所である）により決まる。その領域が下側に位置するほど、第２のフレーム要素２０を旋回することにより形成される開口部４は大きくなる。領域１５が高い位置に位置するほど、バックパック１の開口部４が小さくなり、開口部から品物が落ちる虞が小さくなる。
【００２９】
あるいは、バックパック１の開口部は、第１のフレーム要素１０の下側領１２と第２のフレーム要素の上側領域２１との間（図示せず）に配置することができ、これによると、バックパック１の側部からのパッキングが容易になる。
【００３０】
さらに別の実施の形態において（図示せず）、バックパック１は、第２のフレーム要素２０の上側領域２１の上と下の両方に開口部を備えている。この実施の形態において、領域２１の上方に旋回させると下側の開口部が開き、領域２１の下方に旋回させると、上側の開口部が開く。この実施の形態は、バックパックの内部が２つ以上の区画に分割されている場合、各区画へのアクセスが可能になるので、特に有利である。
【００３１】
好ましい実施の形態において、第２のフレーム要素２０は２つ以上の位置にロックすることができる。このため、バックパック１は、余計な労力なくして開放位置に維持される。これにより、バックパック１のパッキングおよび中身の取り出し中に両手を使用できる。２カ所より多くの位置でロックできるによって、バックパックの開口部を異なるサイズに調節することができる。
【００３２】
第２のフレーム要素２０はカバー６０の第１の部分６１に開放可能に連結されていることが好ましい。開放可能な連結は、ファスナー６３により行われることが好ましい。あるいは、または追加に、他の閉塞手段、例えば、ボタンまたは面ファスナーも考えられる。閉塞手段は、フレーム要素の領域１１，２１および１２の内の１つの縁に直接沿ってもしくはこれらの領域の間にカバー６に配置しても差し支えない。
【００３３】
旋回可能な第２のフレーム要素２０に加え、フレーム５は、さらに別の可動性フレーム要素（図示せず）を備えてもよく、よって、バックパック１の複数の開口部が互いに独立して開くことができる。
【００３４】
図２から分かるように、旋回可能な第２のフレーム要素２０に隣接したカバー６の領域６４および６５は蛇腹式に折り畳まれる。このような折り畳みにより、バックパック１の開閉が容易になる。
【００３５】
図３は、本発明によるバックパック１のある実施の形態の側面図を示している。図３だけでなく、図１および２からも分かるように、フレーム５は、さらに別の実施の形態において、第１のフレーム要素１０に配置されることが好ましい第３のフレーム要素３０を備えている。第３のフレーム要素３０の下側領域３２および第１のフレーム要素１０の下側領域１２がバックパック１の底を画成することが特に好ましい。このようにして画成された底のために、バックパック１を直立状態に置き、その状態でパッキングすることができる。この底のために、空の場合でさえ、バックパック１は安定に置かれる。
【００３６】
図１から３に示された実施の形態において、第３のフレーム要素３０は、第１のフレーム要素１０の領域１５（第２のフレーム要素２０が第１のフレーム要素１０に旋回可能に配置されている箇所である）に配置されている。あるいは、第２のフレーム要素２０および第３のフレーム要素３０は、第１のフレーム要素１０の異なる領域に配置することもできる。バックパック１が閉じられており、断面で見たときに、第１のフレーム要素１０、第２のフレーム要素２０および第３のフレーム要素３０が、Ｘ形状に配置されていることが特に好ましい。これらフレーム要素１０，２０および３０のこのＸ形状の配置のために、フレーム５は、特に簡単かつ安定な形状をしていると同時に、バックパック１の内部にできるだけ大きい容積を画成している。さらに、この容積内の品物、例えば、カメラは、剛性フレーム５によって保護される。
【００３７】
さらに別の実施の形態において（図示せず）、第２のフレーム要素２０および第３のフレーム要素３０は、フレーム５をハサミのように動かせるように、互いにしっかりと連結されている。そのような動きによって、バックパックが開閉される。さらに別の実施の形態において、第２と第３のフレーム要素２０，３０は両方とも、第１のフレーム要素に旋回可能に配置される。この実施の形態において、フレーム５およびしたがってバックパック１は、収納目的のために、平らにすることができる。
【００３８】
図３から分かるように、第１のフレーム要素１０の上側領域１１および第２のフレーム要素２０の上側領域２１が座部６４を画成している。第１のフレーム要素１０の上側領域１１は、図３から分かるように、第２のフレーム要素２０の上側領域２１よりも高いことが好ましい。座部６４が、カバー６の部分６４により設けられ、バックパック１が閉じられたときに、第１のフレーム要素１０の上側領域１１と第２のフレーム要素２０の上側領域２１との間に延在することも好ましい。
【００３９】
図１から３に示されているように、特に、フレーム５は、損傷から保護するために、例えばゴム材料によって、領域１１，１２，２１および３２を補強することができる。領域１１および２１において、フレーム５は、座部をより快適にするために、クッションを備えても差し支えない。さらに、カバー６は、例えば耐汚れ性および耐水性のコーティングにより、地面に隣接した領域において特に保護することができる。
【００４０】
図４は、本発明によるバックパック１の実施の形態の詳細を伴う斜視図である。この図面において、クッション材６７が着用者の背中の領域に認められる。さらに、第１のフレーム要素１０の上側領域１１がハンドル１６として形成されているのが図４から分かる。ある実施の形態において、ハンドル１６は、第１のフレーム要素１０の上側領域１１に凹部として形成される。あるいは、またはそれに加え、カバー６は、カバー６の領域６８と第１のフレーム要素１０の上側領域１１との間に距離が設けられるような様式で第１のフレーム要素１０の上側領域１１に固定される。ハンドル１６の下には、バックパック１の開口部１７または例えば貴重品のための、バックパック１の別個の小さなポケットのための開口部１７が位置していてもよい。このポケットは、例えば、ＭＰ３プレーヤなどの携帯用音楽装置を収納するために使用できる。さらに、カバー６またはフレーム５は、着用者が使用するときに、イヤホンのケーブルをそこに通す開口部または孔（図示せず）を備えてもよい。
【００４１】
図５は、バックパック１のフレーム５のある実施の形態の斜視図を示している。この図面において、第１のフレーム要素１０、その上側領域１１、その下側領域１２およびその側面領域１３が認められる。さらに、上側領域２１を持つ第２のフレーム要素２０および下側領域３２を持つ第３のフレーム要素３０も示されている。
【００４２】
図５に示した実施の形態において、第１のフレーム要素１０の上側領域１１および側面領域１３は実質的にＵ字形状である。同様に、第１のフレーム要素１０の下側領域１２および側面領域１３は、正面図において実質的にＵ字形状である。さらに、この実施の形態において、第２のフレーム要素２０および第３のフレーム要素３０は実質的にＵ字形状であるのが分かる。第１のフレーム要素１０の上側領域１１は、例えば、図４に示したハンドル１６または着座中の小さな縁を形成するために、実質的に湾曲していることが好ましい。領域１２，２１，３２は実質的に平らであることが好ましい。さらに別の実施の形態において、第２のフレーム要素２０の上側領域２１は、さらにまたは代わりに、第１のフレーム要素１０の上側領域１１と同様に湾曲している（図示せず）。
【００４３】
第１のフレーム要素１０の側面領域１３は実質的に平行に構成されていることが好ましい。しかしながら、それらの領域は互いに傾斜していても差し支えない。
【００４４】
さらに、第１のフレーム要素１０に配置された支持体１４が図５に認められる。カバー６（図５においては示されていない）は、カバー６と第１のフレーム要素１０の上側領域１１との間に距離が設けられるように支持体１４に配置することもできる。次いで、第１のフレーム要素１０の上側領域１１は、図４に関して先に記載したように、ハンドルとして使用できる。比較的剛性の支持体１４の代わりに、可撓性材料、例えば、織物を使用しても差し支えない。
【００４５】
図６は図５の実施の形態のさらに別の斜視図を示している。この図面は、第２のフレーム要素２０が旋回可能であることを特に示している。この目的のために、第２のフレーム要素２０の端部は、第１のフレーム要素１０の対応ピン（図示せず）が係合する細長い孔２２を備えている。この細長い孔２２の長さにより、第２のフレーム要素２０の旋回範囲が決まる。別の構成において（図示せず）、細長い孔２２は第１のフレーム要素１０に配置され、ピンは第２のフレーム要素２０に配置される。代わりの実施の形態において、第２のフレーム要素２０の旋回は、爪を持つ軸により、またはヒンジにより可能になる。さらに、第１のフレーム要素１０および第２のフレーム要素２０は可撓性材料により連結しても差し支えない。
【００４６】
図６は、第１のフレーム要素１０の上側領域１１が、側面領域１３の長手方向に沿って正確に位置しておらず、第２のフレーム要素２０に向かって湾曲していることも示している（図３の側面図も参照のこと）。この形態は、バックパック１の着用者の背中と首にフレーム５の形状を調節し、座部６４のための小さな縁も形成する（図３参照）。
【００４７】
バックパック１のフレーム５は、プラスチック材料、例えば、炭素繊維で強化されたプラスチックまたはフルプラスチックから製造されることが好ましい。全てのフレーム要素は、１つ以上の別個の要素から製造されていて差し支えなく、単一の要素を互いに、ネジ留め、接着、リベット留め、クリップ留めなどをすることができる。フレーム５の安定性を増加させるために、一部分または全フレームにリブを設けることができる。さらに、フレーム５は、金属、好ましくは軽金属から製造することができる。プラスチック材料、金属および／または木を互いに組み合わせても差し支えない。
【００４８】
さらに別の実施の形態において（図示せず）、フレーム５は、フレーム５の安定性を支持するために、１つ以上の支持体を備えている。例えば、支持体は、着座中に側方への変形を避けるために、第１のフレーム要素１０の２つの側面領域１３を連結してもよい。しかしながら、より高い安定性は、構造の労力を増し、フレーム５の質量を重くすることという犠牲を払って、達成される。
【００４９】
図７は、第２のフレーム要素の旋回を示す、図５のフレーム５の別の側面図である。この図面は、具体的に、第２のフレーム要素２０の４５度の旋回を示している。この図面において、第１、第２および第３のフレーム要素１０，２０，３０が、断面または側面から見たときに、Ｘ形状を形成することが特によく分かる。
【００５０】
図８は、バックパック１のさらに別の実施の形態を示している。特に、バックパックの着用者の背中に向けられた、バックパック１の後方部分４０が認められる。図８の側面図において、後方部分４０は脊椎の形状に調節されている。これによって、荷重が着用者の背中に均一に分布するので、バックパックの着け心地が特に快適になる。荷重の分布をさらに改善するために、バックパックにウエストストラップ（図示せず）設けることもできる。後方部分４０がフレーム５に固定されることが好ましく、第１のフレーム要素１０の上側領域１１および第３のフレーム要素３０の下側領域３２に固定されるのが特に好ましい。さらに、後方部分４０は、着用者の背中と後方部分４０との間の空気の循環が促進されるように配置され形成された１つ以上のクッション４１を備えてもよい。
【００５１】
図９は、内部仕切の詳細図を伴う図１のバックパック１のさらに別の実施の形態を示している。この詳細図は、バックパック１の底まで延在し、ラッチ７４により閉じられるノート型コンピュータのためのパッド付き区画７３、ケーブルポケット７５、さらに別のポケット７２および例えば、携帯電話のためのポケット７１を示している。さらに別の詳細図は、第２のフレーム要素２０にあるポケット２３を示している。このポケット２３は第２のフレーム要素２０の上側領域２１に配置されていることが好ましく、よって、第２のフレーム要素２０の一部がポケット２３の縁を形成する。第２のフレーム要素２０は、ポケット２３の上側の縁と、さらに、その両側の縁を形成してもよい。第２のフレーム要素２０はポケット２３の一部を直接形成しても、またはポケット２３は別個のケーシングを有していてもよい。ポケット２３は、フレームにより保護され、バックパックの開口部に位置するために、容易にアクセスできる。
【００５２】
図１０はバックパックのさらに別の実施の形態を示している。このバックパックは、例えば、携帯型音楽装置の、イヤホン７８のケーブルを通すための開口部７６または孔を持つウエストストラップ７９を有するのが認められる。代わりにまたは追加に、その開口部または孔は、バックパックのカバーまたはフレームに位置していてよい。さらに、ウエストストラップ７９は、携帯型音楽装置を収納するためのポケット７７を備えてもよい。場１０に示されたバックパックの実施の形態は、本願に記載されたさらに別の実施の形態と独立していてもよい。
【００５３】
最後に、図１１は、伸縮ハンドル８０およびキャスター８１を有する、図１のバックパック１のさらに別の実施の形態の２つの図面を示している。これにより、バックパック１をキャリーケースとして使用することも可能になる。伸縮ハンドル８０が第１のフレーム要素１０に配置されることが好ましい。キャスター８１は第３のフレーム要素３０の下側領域に配置されることが好ましい。
【図面の簡単な説明】
【００５４】
【図１】本発明によるバックパックのある実施の形態の閉じた状態の斜視図
【図２】図１のバックパックの開いた状態の斜視図
【図３】腰掛けとして用いたときの図１および２のバックパックの側面図
【図４】上側フレーム領域の詳細が示された本発明のある実施の形態によるバックパックの斜視図
【図５】本発明のある実施の形態におけるバックパックのフレームの斜視図
【図６】第２のフレーム要素が旋回されている図５のバックパックのさらに別の斜視図
【図７】第２のフレーム要素の旋回を示す図５のフレームの側面図
【図８】人間工学的に形成されたフレームの詳細が示されたさらに別の実施の形態のバックパックの側面図
【図９】バックパックのフレームにあるポケットの詳細図と内側ポケットの詳細図を伴った、図１のさらに別の実施の形態によるバックパックの斜視図
【図１０】音楽プレーヤのイヤホンのための開口部を有するウエスト・ストラップを有するバックパックのさらに別の実施の形態の部分詳細図
【図１１】キャスターおよび伸縮ハンドルを備えた、図１のバックパックのさらに別の実施の形態の概略図
【符号の説明】
【００５５】
１    バックパック
５    フレーム
６    カバー
７，７９    ストラップ
１０    第１のフレーム要素
２０    第２のフレーム要素
３０    第３のフレーム要素
８０    伸縮ハンドル
８１    キャスター
【図１】
2008114063.tif 000003
【図２】
2008114063.tif 000004
【図３】
2008114063.tif 000005
【図４】
2008114063.tif 000006
【図５】
2008114063.tif 000007
【図６】
2008114063.tif 000008
【図７】
2008114063.tif 000009
【図８】
2008114063.tif 000010
【図９】
2008114063.tif 000011
【図１０】
2008114063.tif 000012
【図１１】
2008114063.tif 000013